(57)【特許請求の範囲】
【請求項１】
係合凸部を有するオス型クリップ本体と、この係合凸部に係合する係合凹部を有するメス型クリップ本体と、を有し、帯状の新生児リストバンドのそれぞれの端部に形成したセット孔および調節孔に合わせた前記係合凸部を前記係合凹部に係合して前記新生児リストバンドを所定の大きさのリング状に形成可能な新生児リストバンド用クリップであって、
前記オス型クリップ本体は、そのオス側内壁面に前記係合凸部を有し、
前記メス型クリップ本体は、このオス側内壁面に対向するそのメス側内壁面に前記係合凹部を形成し、
前記オス型クリップ本体および前記メス型クリップ本体は、これらを繋ぐヒンジ部において折り畳み可能として、前記新生児リストバンドの前記セット孔および前記調節孔を介して前記係合凸部および前記係合凹部の互いの係脱を可能としているとともに、
前記ヒンジ部の折畳み方向における内方側において、前記オス側内壁面および前記メス側内壁面には、互いに当接可能なオス側突出部およびメス側突出部をそれぞれ形成していることを特徴とする新生児リストバンド用クリップ。
【請求項２】
前記ヒンジ部の外方側において、前記オス型クリップ本体および前記メス型クリップ本体の前記ヒンジ部の外方形状を弧状とすることができるような弧状部形成部を有することを特徴とする請求項１記載の新生児リストバンド用クリップ。
【請求項３】
当該新生児リストバンド用クリップは、そのショア硬度（ＡＳＴＭ  Ｄ  ２２４０に準ずるタイプＤのヂュロメーター硬度）が、３５±５である合成樹脂材からこれを構成することを特徴とする請求項１または２記載の新生児リストバンド用クリップ。
【請求項４】
当該新生児リストバンド用クリップは、ポリプロピレンを主原料とする比較的軟質の合成樹脂材からこれを構成したことを特徴とする請求項１ないし３のいずれかに記載の新生児リストバンド用クリップ。
【請求項５】
前記係合凹部は、前記メス側内壁面から形成した主孔部と、この主孔部に連通する大径凹部と、を有し、
前記係合凸部は、前記主孔部に挿脱可能な主柱部と、この主柱部の頭部に位置して前記大径凹部に係脱する大径頭部を有するとともに、
前記大径凹部は、前記係合凸部の前記大径頭部および前記主柱部に係脱するとともに弾性変形可能な内方突出部を介して前記主孔部に連通していることを特徴とする請求項１ないし４のいずれかに記載の新生児リストバンド用クリップ。
【請求項６】
前記主柱部の前記オス側内壁面からの高さは、前記主孔部の前記メス側内壁面からの深さより大きいことを特徴とする請求項５記載の新生児リストバンド用クリップ。
【請求項７】
前記オス型クリップ本体および前記メス型クリップ本体が前記ヒンジ部において折り畳まれて前記係合凸部および前記係合凹部が係合した状態で、
前記係合凸部における前記大径頭部が、前記係合凹部における前記大径凹部に係合していないことを特徴とする請求項５または６記載の新生児リストバンド用クリップ。
【請求項８】
前記係合凸部における前記大径頭部は、前記係合凹部における前記内方突出部に係脱して、前記オス型クリップ本体および前記メス型クリップ本体の係脱を実現可能であることを特徴とする請求項５ないし７のいずれかに記載の新生児リストバンド用クリップ。
【請求項９】
前記係合凸部の前記主柱部は、前記オス側内壁面から起立する基柱部と、この基柱部より小径の小径接続柱部と、を有し、
この小径接続柱部の頭部に前記大径頭部が位置することを特徴とする請求項５ないし８のいずれかに記載の新生児リストバンド用クリップ。
【請求項１０】
前記係合凹部の前記主孔部には、径方向に延びる径方向孔部を連通して形成していることを特徴とする請求項５ないし９のいずれかに記載の新生児リストバンド用クリップ。
【請求項１１】
前記係合凸部の前記主柱部には、前記係合凹部の前記径方向孔部に係脱する径方向枝部を形成していることを特徴とする請求項１０記載の新生児リストバンド用クリップ。
【発明の詳細な説明】
【技術分野】
【０００１】
本発明は新生児リストバンド用クリップにかかるもので、とくに医療分野などで新生児の手首や足首などに巻き付けるようにして取り付けることにより、新生児を特定することができるようにした新生児リストバンドをリング状に装着可能とする新生児リストバンド用クリップに関するものである。
【背景技術】
【０００２】
従来から、とくに医療用のリストバンドには、入院患者の氏名、生年月日や性別その他必要な情報（特定情報）を記載ないし印字により表示して手首や足首など（被巻付け部）に巻き付けることにより本人を特定可能とし、検査や治療時に本人の照合を可能としている。
このリストバンドは、一般的に帯状であり、その両端部を合わせて固定することによって、患者の被巻付け部の大きさに合わせて、リストバンドを所定の大きさのリング状に形成するためにクリップ（固定具）が用いられている（たとえば、特許文献１）。
【０００３】
図７にもとづき、従来のリストバンドおよびそのクリップについて概説する。
図７は、リストバンド１を母親および新生児に巻き付ける操作の説明図であって、図７（１）は、リストバンド１の平面図、図７（２）は、リストバンド１を母親の手首Ｗ１に巻き付けた状態を示す斜視図、図７（３）は、リストバンド１の母親リストバンド２を母親の手首Ｗ１に巻き付けるとともに、リストバンド１の新生児リストバンド３を新生児の手首Ｗ２に巻き付けた状態を示す斜視図である。
【０００４】
任意の印字方式によるプリンター（図示せず）によって、図７（１）に示すように、母親の入院時にリストバンド１の母親用印字領域４および新生児用印字領域５にバーコード６および特定情報７などを印字してある。
【０００５】
つぎに図７（２）に示すように、母親リストバンド２および新生児リストバンド３が一体に接続状態のままで、母親リストバンド２のそれぞれの端部に形成したセット孔８および調節孔９を合わせて、固定用クリップ１０（母親リストバンド用クリップ）により母親の手首Ｗ１にリストバンド１を巻き付けて取り付け固定する。
【０００６】
図７（３）に示すように、新生児が生まれたときには、母親の手首Ｗ１からリストバンド１のうち、もろい一部接続部１１を引き裂くようにして新生児リストバンド３の部分を母親リストバンド２から切り離し、新生児リストバンド３のそれぞれの端部に形成したセット孔１２および調節孔１３を合わせて、固定用クリップ１４（新生児リストバンド）により新生児の手首Ｗ２に新生児リストバンド３を巻き付けて取り付ける。
【０００７】
かくして、新生児リストバンド３を母親リストバンド２から分離して新生児への新生児リストバンド３の巻付け操作を行うことができる。
【０００８】
とくに、産婦人科において新生児や乳幼児が、入院時あるいは分娩時に取り付けられる新生児リストバンド３は、通常新生児専用のものを使用するが、その新生児リストバンド３をリング状に取り付けるための固定用クリップ１４としては、敢えて大人用（固定用クリップ１０）と区別せずに兼用している場合が多い。
大人用の固定用クリップ１０は、患者自身がリストバンド１を取り外すことができないようにクリップ自体の係合構造が堅固であるとともに、大きさも大きく硬さもあって、生まれたてで皮膚が柔らかい新生児には、その皮膚への刺激が強すぎることがあるという問題がある。
しかも、新生児は、生まれてから数日間はその手首などが浮腫などで腫れて変化することがあり、取り外しができない固定用クリップ１０、１４はさらに、新生児の皮膚への圧迫が懸念されるという問題がある。
【０００９】
さらに、従来のリストバンド１（母親リストバンド２、新生児リストバンド３）に用いられる固定用クリップ１０、１４において、リストバンド２、３の重ね合わせた両端部の表裏面を上下方向から挟むように折り畳んで固定する構成を有するタイプのものは、ヒンジ部が必要であり、折り畳んだときにこのヒンジ部の外方部においてその端部が角張ってしまうため、この端部が皮膚に当たって刺激となるという問題がある。
【先行技術文献】
【特許文献】
【００１０】
【特許文献１】特開２００５−１６０５５１号公報
【発明の概要】
【発明が解決しようとする課題】
【００１１】
本発明は以上のような諸問題にかんがみなされたもので、とくに新生児などにリストバンドを取り付けるにあたり、複数回の着脱を可能として、その手首や足首などの伸縮に対応可能な新生児リストバンド用クリップを提供することを課題とする。
【００１２】
また本発明は、新生児への負担、新生児の皮膚への刺激ないしは影響を極力低減可能な新生児リストバンド用クリップを提供することを課題とする。
【００１３】
また本発明は、オス型クリップおよびメス型クリップの間にわずかな間隙を形成可能として操作に便利であり、必要に応じて新生児リストバンドから取り外しやすい新生児リストバンド用クリップを提供することを課題とする。
【課題を解決するための手段】
【００１４】
すなわち本発明は、係合凸部を有するオス型クリップ本体、および係合凹部を有するメス型クリップ本体の互いの係合状態を係脱可能とすることに着目したもので、係合凸部を有するオス型クリップ本体と、この係合凸部に係合する係合凹部を有するメス型クリップ本体と、を有し、帯状の新生児リストバンドのそれぞれの端部に形成したセット孔および調節孔に合わせた上記係合凸部を上記係合凹部に係合して上記新生児リストバンドを所定の大きさのリング状に形成可能な新生児リストバンド用クリップであって、上記オス型クリップ本体は、そのオス側内壁面に上記係合凸部を有し、上記メス型クリップ本体は、このオス側内壁面に対向するそのメス側内壁面に上記係合凹部を形成し、上記オス型クリップ本体および上記メス型クリップ本体は、これらを繋ぐヒンジ部において折り畳み可能として、上記新生児リストバンドの上記セット孔および上記調節孔を介して上記係合凸部および上記係合凹部の互いの係脱を可能としているとともに、上記ヒンジ部の折畳み方向における内方側において、上記オス側内壁面および上記メス側内壁面には、互いに当接可能なオス側突出部およびメス側突出部をそれぞれ形成していることを特徴とする新生児リストバンド用クリップである。
【００１５】
上記ヒンジ部の外方側において、上記オス型クリップ本体および上記メス型クリップ本体の上記ヒンジ部の外方形状を弧状とすることができるような弧状部形成部を有することができる。
【００１６】
当該新生児リストバンド用クリップは、そのショア硬度（ＡＳＴＭ  Ｄ  ２２４０に準ずるタイプＤのヂュロメーター硬度）が、３５±５である合成樹脂材からこれを構成することができる。
【００１７】
当該新生児リストバンド用クリップは、ポリプロピレンを主原料とする比較的軟質の合成樹脂材からこれを構成することができる。
【００１８】
上記係合凹部は、上記メス側内壁面から形成した主孔部と、この主孔部に連通する大径凹部と、を有し、上記係合凸部は、上記主孔部に挿脱可能な主柱部と、この主柱部の頭部に位置して上記大径凹部に係脱する大径頭部を有するとともに、上記大径凹部は、上記係合凸部の上記大径頭部および上記主柱部に係脱するとともに弾性変形可能な内方突出部を介して上記主孔部に連通していることができる。
【００１９】
上記主柱部の上記オス側内壁面からの高さは、上記主孔部の上記メス側内壁面からの深さより大きい構成とすることができる。
【００２０】
上記オス型クリップ本体および上記メス型クリップ本体が上記ヒンジ部において折り畳まれて上記係合凸部および上記係合凹部が係合した状態で、上記係合凸部における上記大径頭部が、上記係合凹部における上記大径凹部に係合していないようにすることができる。
【００２１】
上記係合凸部における上記大径頭部は、上記係合凹部における上記内方突出部に係脱して、上記オス型クリップ本体および上記メス型クリップ本体の係脱を実現可能であることができる。
【００２２】
上記係合凸部の上記主柱部は、上記オス側内壁面から起立する基柱部と、この基柱部より小径の小径接続柱部と、を有し、この小径接続柱部の頭部に上記大径頭部が位置することができる。
【００２３】
上記係合凹部の上記主孔部には、径方向に延びる径方向孔部を連通して形成していることができる。
【００２４】
上記係合凸部の上記主柱部には、上記係合凹部の上記径方向孔部に係脱する径方向枝部を形成していることができる。
【００２５】
上記オス型クリップ本体および上記メス型クリップ本体は、その形状をほぼ卵形とすることができる。
【発明の効果】
【００２６】
本発明による新生児リストバンド用クリップにおいては、係合凸部および係合凹部の互いの係脱を可能としているとともに、ヒンジ部の折畳み方向における内方側において、オス側内壁面およびメス側内壁面に、互いに当接可能なオス側突出部およびメス側突出部をそれぞれ形成しているので、新生児リストバンドにクリップを取り付けた状態で、これらのオス側突出部およびメス側突出部が互いに当接してヒンジ部の内方側に所定の高さの突出部を形成してオス型クリップ本体（オス側内壁面）およびメス型クリップ本体（メス側内壁面）の間にわずかな間隙を形成可能であり、オス型クリップ本体およびメス型クリップ本体を押し開いてそれぞれの係合凸部および係合凹部を離間させる際に、上記間隙に爪などを差し入れることが可能であってオス型クリップ本体およびメス型クリップ本体を容易に開放状態とすることができ、新生児リストバンドを新しいものと取り替えることなく、これをリング状に形成する大きさを変更可能である。
かくして、新生児の手首や足首の状況に応じて新生児リストバンドの大きさを変更可能とし、繊細な皮膚への圧迫、摩擦さらには刺激を低減して、皮膚出血などを防止可能である。
【図面の簡単な説明】
【００２７】
【図１】本発明の実施例による新生児リストバンド用クリップ２０の内側を示す平面図である。
【図２】同、新生児リストバンド用クリップ２０の一部切り欠き側面図である。
【図３】同、新生児リストバンド用クリップ２０の外側を示す平面図である。
【図４】同、ヒンジ部２３のまわりにオス型クリップ本体２１およびメス型クリップ本体２２を折り曲げて、係合凸部２５およびオス側内壁面２４を互いに係合した状態の断面図である。
【図５】同、新生児リストバンド用クリップ２０の折り畳み時の平面図である。
【図６】同、オス型クリップ本体２１からメス型クリップ本体２２を持ち上げてゆくときに途中の状態を示す断面図である。
【図７】リストバンド１を母親および新生児に巻き付ける操作の説明図であって、図７（１）は、リストバンド１の平面図、図７（２）は、リストバンド１を母親の手首Ｗ１に巻き付けた状態を示す斜視図、図７（３）は、リストバンド１の母親リストバンド２を母親の手首Ｗ１に巻き付けるとともに、リストバンド１の新生児リストバンド３を新生児の手首Ｗ２に巻き付けた状態を示す斜視図である。
【発明を実施するための形態】
【００２８】
本発明は、オス型クリップ本体およびメス型クリップ本体をヒンジ部において折り畳み可能として、係合凸部および係合凹部の互いの係脱を可能としているとともに、ヒンジ部の折畳み方向における内方側において、オス側内壁面およびメス側内壁面には、互いに当接可能なオス側突出部およびメス側突出部をそれぞれ形成したので、オス型クリップ本体およびメス型クリップ本体の係合を解除し、看護師などが安心して新生児の被巻付け部の状態に合わせてそのリングの大きさを適宜調節可能であって、最適条件で運用することができる新生児リストバンド用クリップを実現した。
【実施例】
【００２９】
つぎに本発明の実施例による新生児リストバンド用クリップ２０を図１ないし図６にもとづき説明する。ただし、図７と同様の部分には同一符号を付し、その詳述はこれを省略する。
図１は、新生児リストバンド用クリップ２０の内側を示す平面図、図２は、新生児リストバンド用クリップ２０の一部切り欠き側面図、図３は、新生児リストバンド用クリップ２０の外側を示す平面図である。
新生児リストバンド用クリップ２０は、オス型クリップ本体２１と、メス型クリップ本体２２と、ヒンジ部２３と、を有する。
【００３０】
新生児リストバンド用クリップ２０は、そのショア硬度（ＡＳＴＭ  Ｄ  ２２４０に準ずるタイプＤのヂュロメーター硬度）が、３５±５である合成樹脂材からこれを構成することが望ましく、たとえば、ポリプロピレンを主原料とする比較的軟質の合成樹脂材からこれを構成している。
図７に示した従来のリストバンド１（母親リストバンド２、新生児リストバンド３）用の固定用クリップ１０、１４などは、上記ショア硬度が６３前後のポリエチレンを主原料としていることが一般的であり、本発明による新生児リストバンド用クリップ２０は、従来のものに比較して、より柔軟性がある材料から構成し、新生児の皮膚への刺激を最小限に抑えている。
【００３１】
さらに、新生児リストバンド用クリップ２０は、従来の固定用クリップ１０、１４に比較して、軽量化および小型化を図って新生児の負担を低減可能とするとともに、たとえばその色としては、白色が基調の病院内において男女無差別で使用可能な黄色を採用し、母親用の固定用クリップ１０などと混同を防止する。
【００３２】
また、新生児リストバンド用クリップ２０の製造工程において、その材料に二酸化炭素吸収剤を添加することができる。
この二酸化炭素吸収剤としては、たとえば無機系の二酸化炭素吸収剤からこれを構成し、ナノメートル（ｎｍ＝１０−９ｍ）のレベルにまで微粒子化しているとともに、新生児リストバンド用クリップ２０全体にわたって均一に分散させていることが望ましい。たとえば、粒子径としては少なくとも１μｍ未満、より好ましくは１０〜１００ｎｍ程度とすることができる。
ナノメートルのレベルまで微粒子化している二酸化炭素吸収剤としては、たとえばアクテイブ株式会社製のナノベシクル二酸化炭素削減添加剤を用いることができる。
このような二酸化炭素球乳剤を添加しておくことにより、焼却炉（図示せず）における焼却処理において、母親リストバンド２や固定用クリップ１０および新生児リストバンド３とともに新生児リストバンド用クリップ２０も焼却されることになるが、加熱による燃焼により二酸化炭素（ＣＯ２ガス）が発生し、二酸化炭素が二酸化炭素吸収剤に吸着されることになる。
とくに、二酸化炭素吸収剤がナノレベル（たとえば１０〜１００ｎｍ程度）にまで微粒子化されているとともに均一に分散しているので、二酸化炭素を効率的に吸収可能である。
なおまた、新生児リストバンド用クリップ２０全体を抗菌仕様とすることが望ましい。
【００３３】
オス型クリップ本体２１は、ほぼ卵形状に形成したそのオス側内壁面２４に係合凸部２５を有する。
メス型クリップ本体２２は、このオス側内壁面２４に対向するそのメス側内壁面２６に、この係合凸部２５に係合する係合凹部２７を有する。メス側内壁面２６もオス側内壁面２４と同様に、同形状すなわちほぼ卵形状にこれを形成しているとともに、メス型クリップ本体２２全体をオス型クリップ本体２１より、ややふくよかに膨らまして新生児の皮膚に対して当たりが柔らかくなるようにしている。
【００３４】
新生児リストバンド用クリップ２０は、帯状の前記新生児リストバンド３（図７）のそれぞれの端部に形成したセット孔１２および調節孔１３に位置合わせた係合凸部２５を係合凹部２７に係合して新生児リストバンド３を所定の大きさのリング状に形成可能である。
すなわち、オス型クリップ本体２１およびメス型クリップ本体２２は、これらを繋ぐそのヒンジ部２３において折り畳み可能として、新生児リストバンド３のセット孔１２および調節孔１３を介して係合凸部２５および係合凹部２７の互いの係脱を可能としている。
【００３５】
係合凸部２５は、オス側内壁面２４のほぼ中央部に位置する主柱部２８と、この主柱部２８の頭部に位置するとともに、より大径の大径頭部２９を有する。
とくに図２に示すように、主柱部２８は、オス側内壁面２４から起立する基柱部３０と、この基柱部３０より小径の小径接続柱部３１と、を有し、この小径接続柱部３１の頭部に大径頭部２９が位置する。
【００３６】
さらに、主柱部２８（基柱部３０）には、互いに直交する四方向に二対の（計四本の）径方向枝部３２をオス側内壁面２４に平行に突出形成している。
【００３７】
係合凹部２７は、メス側内壁面２６のほぼ中央に位置してメス側内壁面２６から形成したドーム状ないし半円球状（断面半円形状）の主孔部３３と、この主孔部３３の頂部においてこれに連通する円筒状（断面長方形状）の大径凹部３４と、を有する。
とくに図２に示すように、主孔部３３と大径凹部３４との間には、係合凸部２５の大径頭部２９および主柱部２８に係脱するとともにその断面形状がテーパー状で弾性変形可能な抜け止め用の内方突出部３５を形成し、内方突出部３５の中央に形成される円形状の連通孔３６を介して主孔部３３および大径凹部３４が互いに連通している。
主孔部３３には、係合凸部２５の主柱部２８が挿脱可能であるとともに、内方突出部３５および大径頭部２９がそれぞれ弾性変形しつつ係脱するもので、オス型クリップ本体２１およびメス型クリップ本体２２の係合状態では、大径凹部３４には、大径頭部２９が位置する。
かくして、係合凸部２５における大径頭部２９は、係合凹部２７における内方突出部３５に係脱して、オス型クリップ本体２１およびメス型クリップ本体２２の係脱を実現可能である。
【００３８】
さらに、係合凹部２７の主孔部３３には、径方向に延びる一対の（計二本の）径方向孔部３７を連通して形成している。
係合凹部２７の径方向孔部３７には、係合凸部２５の四本の径方向枝部３２のうち径方向の二本が係脱し、他の径方向の二本の径方向枝部３２は、係合凹部２７の主孔部３３の内壁面に当接可能である。
【００３９】
図４は、ヒンジ部２３のまわりにオス型クリップ本体２１およびメス型クリップ本体２２を折り曲げて、係合凸部２５およびオス側内壁面２４を互いに係合した状態の断面図であって、主柱部２８のオス側内壁面２４からの高さＨ１は、主孔部３３のメス側内壁面２６からの深さＤ１より大きい。
より正確に述べれば、オス型クリップ本体２１およびメス型クリップ本体２２がヒンジ部２３において折り畳まれて係合凸部２５および係合凹部２７が係合した状態で、係合凸部２５における主柱部２８の大径頭部２９が、係合凹部２７における大径凹部３４に係合しておらず、メス型クリップ本体２２がオス型クリップ本体２１に対してヒンジ部２３のまわりにわずかに開放方向に回動可能となっている。
【００４０】
ヒンジ部２３は、その折畳み方向における内方側において、オス側内壁面２４およびメス側内壁面２６に、互いに当接可能なオス側突出部３８およびメス側突出部３９をそれぞれ形成している。
とくに図１に示すように、オス側突出部３８とメス側突出部３９との間には、ヒンジ部２３におけるオス型クリップ本体２１およびメス型クリップ本体２２の折り畳みを容易にするための折畳み用溝４０を形成している。
【００４１】
ヒンジ部２３の外方側において、オス型クリップ本体２１およびメス型クリップ本体２２のヒンジ部２３の外方形状を弧状とすることができるような弧状部形成部４１を有する。
すなわち、図５は、新生児リストバンド用クリップ２０の折り畳み時の平面図であって、オス型クリップ本体２１およびメス型クリップ本体２２をヒンジ部２３のまわりに折り畳んだ状態で弧状部形成部４１により弧状部４２が形成されることになり、新生児リストバンド用クリップ２０全体として、角部が形成されないようにして、新生児の皮膚への当たりを柔らかくし、その負担を軽減している。
【００４２】
こうした構成の新生児リストバンド用クリップ２０において、とくに図４に示すように、新生児リストバンド３のセット孔１２および調節孔１３に新生児リストバンド用クリップ２０の係合凸部２５（主柱部２８、大径頭部２９）を挿通し、さらに大径頭部２９を主孔部３３から大径凹部３４方向に押し込めば、大径頭部２９自体および内方突出部３５が弾性変形することができるため、大径頭部３５が大径凹部３４に位置するとともに、大径凹部３４には係合しない状態に固定可能である。
なお、上記取付け操作の初期段階において、セット孔１２あるいは調節孔１３に係合凸部２５を挿通したときに、係合凸部２５における基柱部３０の径方向枝部３２をこのセット孔１２あるいは調節孔１３に一時的に引っ掛かけておくことができ、新生児リストバンド用クリップ２０を新生児リストバンド３に最終的に留めるまでに一時的な仮止め機能を発揮することができる。
また、径方向枝部３２の径方向の二本が係合凹部２７の二本の径方向孔部３７に係合するとともに、径方向枝部３２の他の径方向の二本は主孔部３３の頂部に近い内壁面に当接状態となるので、この係合固定形態を補助的に保持可能である。
【００４３】
かくして、新生児リストバンド３を新生児の手首（あるいは足首など）に装着可能である。
さらに、新生児の皮膚の状態、手首や足首の太さの変化などに応じて、新生児リストバンド３のリングの大きさを変えたいときには、オス型クリップ本体２１のオス側内壁面２４およびメス型クリップ本体２２のメス側内壁面２６の間に、オス側突出部３８およびメス側突出部３９の盛り上がりにより形成されたわずかな隙間Ｇに作業者（看護師）の爪を入り込ませることができ、図６に示すように、オス型クリップ本体２１からメス型クリップ本体２２を持ち上げるようにして、係合凸部２５とメス側内壁面２６の係合を解除することができる。
なお、上記わずかな間隙Ｇがあるために、新生児リストバンド３の厚さが多少厚くてもオス型クリップ本体２１およびメス型クリップ本体２２の間に新生児リストバンド３を確実に挟み込むことができる。
【００４４】
図６は、オス型クリップ本体２１からメス型クリップ本体２２を持ち上げてゆくときに途中の状態を示す断面図である。
図４に示したように、主柱部２８のオス側内壁面２４からの高さＨ１は、主孔部３３のメス側内壁面２６からの深さＤ１より大きく、係合凸部２５における主柱部２８の大径頭部２９が、係合凹部２７における大径凹部３４に密着した状態に係合していないため、ヒンジ部２３まわりのメス型クリップ本体２２の開放方向に持ち上げることが可能であり、この持上げ操作によって、係合凸部２５の大径頭部２９が係合凹部２７の内方突出部３５に一時的に係止させられるが、新生児リストバンド用クリップ２０全体すなわち、オス型クリップ本体２１およびメス型クリップ本体２２がともに、たとえばポリプロピレンなど比較的軟質の合成樹脂材から構成されているため、かつ、主柱部２８の上方部が小径接続柱部３１となっているので、大径頭部２９が主柱部２８の軸方向から比較的容易に傾斜するとともに（図６中、仮想線）、大径頭部２９自体が比較的軟質であるため、大径頭部２９（係合凸部２５）が係合凹部２７から比較的容易に離脱することができて、オス型クリップ本体２１とメス型クリップ本体２２との係合を解除することができる。
【００４５】
したがって、オス型クリップ本体２１およびメス型クリップ本体２２の係合凸部２５およびメス側内壁面２６を適切な調節孔１３の位置に新たにセットして再度係合すれば、所定の大きさのリング状に変更し直すことができる。
すなわち、新生児の手首などの変化に応じて、その都度新生児リストバンド３のリングの大きさを修正することができる。
さらに、係合凸部２５の係合凹部２７への圧入操作に過大な操作力を必要とせず、かつ係合凸部２５を係合凹部２７から取り外す操作も容易であって、それぞれ適正な操作力で実行可能であって、いわば、付けやすく抜けやすい新生児リストバンド用クリップ２０とすることができる。
【符号の説明】
【００４６】
１  リストバンド（図７）
２  母親リストバンド
３  新生児リストバンド
４  母親用印字領域
５  新生児用印字領域
６  バーコード
７  特定情報
８  セット孔
９  調節孔
１０  固定用クリップ
１１  もろい一部接続部
１２  セット孔
１３  調節孔
１４  固定用クリップ
２０  新生児リストバンド用クリップ（実施例、図１）
２１  オス型クリップ本体
２２  メス型クリップ本体
２３  ヒンジ部
２４  オス型クリップ本体２１のオス側内壁面
２５  オス型クリップ本体２１に形成した係合凸部
２６  メス型クリップ本体２２のメス側内壁面
２７  メス型クリップ本体２２に形成した係合凹部
２８  主柱部
２９  大径頭部
３０  主柱部２８の基柱部
３１  主柱部２８小径接続柱部
３２  径方向枝部
３３  主孔部
３４  大径凹部
３５  内方突出部
３６  連通孔
３７  径方向孔部
３８  オス側内壁面２４に形成したオス側突出部
３９  メス側内壁面２６に形成したメス側突出部
４０  折畳み用溝
４１  弧状部形成部
４２  弧状部
Ｗ１  母親の手首（図７）
Ｗ２  新生児の手首
Ｇ    オス型クリップ本体２１のオス側内壁面２４およびメス型クリップ本体２２のメス側内壁面２６の間に、オス側突出部３８およびメス側突出部３９の盛り上がりにより形成されたわずかな隙間（図４）
Ｈ１  主柱部２８のオス側内壁面２４からの高さ（図４）
Ｄ１  主孔部３３のメス側内壁面２６からの深さ（Ｄ１＜Ｈ１）
【図１】
0005901439.tif 000002
【図２】
0005901439.tif 000003
【図３】
0005901439.tif 000004
【図４】
0005901439.tif 000005
【図５】
0005901439.tif 000006
【図６】
0005901439.tif 000007
【図７】
0005901439.tif 000008